(57)【要約】【課題】省スペースでもって高音圧を得ることができるスピーカー装置を提供すること。【解決手段】略筒状に形成されたスピーカーフレーム１の両側に、第１振動板２１ｂ、第２振動板２１ｃ、第３振動板２１ｄとそれらの振動板２１を起振させる振動手段２３とを備えてなるスピーカー部２を、左右の振動板２１が交互となるように対向配置し、スピーカーフレーム１に振動板２１同士の間から外部に音声を出力させる音声出力孔１１を設ける。さらに、ボイスコイルの巻幅Ｌ１を、左の第１振動板２１ｂと右の第３振動板２１ｄとの配置間隔の長さＬ２、左の第２振動板２１ｃと右の第２振動板２１ｃとの配置間隔の長さＬ２、左の第３振動板２１ｄと右の第１振動板２１ｂとの配置間隔の長さＬ２、の略半分の長さ乃至その配置間隔の長さＬ２程度とする。【選択図】図３
2008042615.tif 000002
【特許請求の範囲】
【請求項１】
略筒状に形成されたスピーカーフレーム内に所定間隔をおいて並設された複数の振動板が振動杆を介して接続され、その複数の前記振動板のうち、一端に配置された振動板と係合され前記振動板を起振させる振動手段が前記スピーカーフレームに支持されて、夫々の前記振動板が同調可能に構成され、前記スピーカーフレームは、複数の前記振動板同士の間から外部に音声を出力させる音声出力孔が設けられていると共に、前記振動板同士間の中央となる所要位置に仕切り壁が設けられてなるスピーカー装置であって、
前記振動手段は、
一端に配置された前記振動板に設けられたボイスコイルと、そのボイスコイルに遊挿されたポールと、そのポールに固着され前記ボイスコイルを覆うように配置されたマグネットとを備えてなり、
前記ボイスコイルの巻幅が、前記振動板と前記仕切り壁との配置間隔の長さと略同じ又は前記振動板と前記仕切り壁との配置間隔の長さの約一割増しの長さ程度であることを特徴とするスピーカー装置。
【請求項２】
略筒状に形成されたスピーカーフレーム内に所定間隔をおいて並設された複数の振動板が振動杆を介して接続され、その複数の前記振動板のうち、一端に配置された振動板と係合され前記振動板を起振させる振動手段が前記スピーカーフレームに支持されて、夫々の前記振動板が同調可能に構成されてなるスピーカー部が、前記スピーカーフレームの両側に対向配置されたスピーカー装置であって、
前記スピーカー部は、
前記振動手段が係合された前記振動板以外の前記振動板に、対向配置された一方の前記振動杆を挿通させる連通孔が設けられて、夫々の前記スピーカー部を構成する夫々の複数の前記振動板が交互に配置されて、前記スピーカーフレームの両側に当該スピーカー部が対向配置され、
前記スピーカーフレームは、交互に配置された複数の前記振動板同士の間から外部に音声を出力させる音声出力孔が設けられ、
前記振動手段は、一端に配置された前記振動板に設けられたボイスコイルと、そのボイスコイルに遊挿されたポールと、そのポールに固着され前記ボイスコイルを覆うように配置されたマグネットとを備えてなり、
前記ボイスコイルの巻幅が、並設された複数の前記振動板の配置間隔の長さの略半分の長さ乃至該配置間隔の長さ程度であることを特徴とするスピーカー装置。
【発明の詳細な説明】
【技術分野】
【０００１】
本発明は、スピーカー装置に関する。
【背景技術】
【０００２】
旧来のスピーカー装置は、一つの振動板に設けられたボイスコイルと、そのボイスコイルに遊挿されたポールと、そのポールに固着されボイスコイルを覆うように配置されたマグネットとを備えて構成されており、ボイスコイルに電気信号（音声信号）を流すことで、振動板が前後に振動して鳴音するようになっている。
しかしながら、旧来のスピーカー装置は、かかる構造であるがゆえに、省スペースで高音圧を得ることは極めて難しい。
【０００３】
そこで、下記のようなスピーカー装置が提案されている。
そのスピーカー装置は、マグネットの上下部にトッププレートとボトムプレートを設置し、外周にヨークを設置して上下部磁気ギャップを形成し、上下部ボイスコイルをこれらの磁気ギャップに半分オフセットした状態で配置し、振動板をデュアルギャップ用ボイスコイル７の上部に載置し、これらを上下部ダンパーで支持している。
このスピーカー装置によれば、小口径であっても十分な駆動範囲と耐入力を得ることにより低音再生を可能にするスピーカユニットを提供することができる、としている（例えば特許文献１参照）。
【特許文献１】特開平９−１８２１８８号公報（第１頁、図１）
【発明の開示】
【発明が解決しようとする課題】
【０００４】
しかしながら、上記した先行のスピーカー装置は、鳴音させる部材である振動板が旧来と変わらず一枚であるため、性能の向上には限界があった。
そこで仮に、複数の振動板を一つのスピーカーフレーム内に並設させてスピーカー装置を構成すれば、更なる性能の向上を図ることができるが、しかしながら、個々の振動板の振幅いかんでは、その性能に大きく差が生じてしまう。
【０００５】
そこで本発明は、このような状況に鑑みてなされたものであり、上記問題点を解決できるスピーカー装置を提供することを目的とする。
【課題を解決するための手段】
【０００６】
上記技術課題を達成するために、本発明にかかるスピーカー装置は、下記の技術的手段を講じた。
すなわち、本発明にかかるスピーカー装置は、略筒状に形成されたスピーカーフレーム内に所定間隔をおいて並設された複数の振動板が振動杆を介して接続され、その複数の前記振動板のうち、一端に配置された振動板と係合され前記振動板を起振させる振動手段が前記スピーカーフレームに支持されて、夫々の前記振動板が同調可能に構成され、前記スピーカーフレームは、複数の前記振動板同士の間から外部に音声を出力させる音声出力孔が設けられていると共に、前記振動板同士間の中央となる所要位置に仕切り壁が設けられてなるスピーカー装置であって、前記振動手段は、一端に配置された前記振動板に設けられたボイスコイルと、そのボイスコイルに遊挿されたポールと、そのポールに固着され前記ボイスコイルを覆うように配置されたマグネットとを備えてなり、前記ボイスコイルの巻幅が、前記振動板と前記仕切り壁との配置間隔の長さと略同じ又は前記振動板と前記仕切り壁との配置間隔の長さの約一割増しの長さ程度であることを特徴とする。
また、本発明にかかるスピーカー装置は、略筒状に形成されたスピーカーフレーム内に所定間隔をおいて並設された複数の振動板が振動杆を介して接続され、その複数の前記振動板のうち、一端に配置された振動板と係合され前記振動板を起振させる振動手段が前記スピーカーフレームに支持されて、夫々の前記振動板が同調可能に構成されてなるスピーカー部が、前記スピーカーフレームの両側に対向配置されたスピーカー装置であって、前記スピーカー部は、前記振動手段が係合された前記振動板以外の前記振動板に、対向配置された一方の前記振動杆を挿通させる連通孔が設けられて、夫々の前記スピーカー部を構成する夫々の複数の前記振動板が交互に配置されて、前記スピーカーフレームの両側に当該スピーカー部が対向配置され、前記スピーカーフレームは、交互に配置された複数の前記振動板同士の間から外部に音声を出力させる音声出力孔が設けられ、前記振動手段は、一端に配置された前記振動板に設けられたボイスコイルと、そのボイスコイルに遊挿されたポールと、そのポールに固着され前記ボイスコイルを覆うように配置されたマグネットとを備えてなり、前記ボイスコイルの巻幅が、並設された複数の前記振動板の配置間隔の長さの略半分の長さ乃至該配置間隔の長さ程度であることを特徴とする。
【発明の効果】
【０００７】
本発明によれば、略筒状に形成されたスピーカーフレーム内に振動杆を介して接続された複数の振動板を仕切り壁を介して並設し、一端に配置した振動板に振動手段を係合して、この一つの振動手段でもって、これら複数の振動板を振動させて鳴音するようにしたから、省スペースでもって高音圧を得ることができる。しかも、振動手段の一構成部材であるボイスコイルの巻幅を、振動板と仕切り壁との配置間隔の長さと略同じ又は約一割増しの長さ程度として、仕切り壁と干渉するまで振動板を振動することを技術的に可能としておくことで、仕切り壁と干渉する寸前まで振動板の制御を正確に行うことにより、限られたスペースでもって極めて効率の良いスピーカー装置を提供できる。
【０００８】
また、スピーカー部を構成する振動板を複数で構成し、対向配置した夫々の振動板を交互に配置するようにしたから、省スペースでもって更に高音圧を得ることができ、その振動手段の一構成部材であるボイスコイルの巻幅は、並設された複数の前記振動板の配置間隔の長さの略半分の長さ乃至該配置間隔の長さ程度として、振動板同士が干渉するまで振動板を振動することを技術的に可能としておくことで、振動板同士が干渉する寸前まで夫々の振動板の制御を正確に行うことにより、限られたスペースでもって極めて効率の良いスピーカー装置を提供できる。
【発明を実施するための最良の形態】
【０００９】
次に本発明にかかるスピーカー装置の実施の形態について、添付図面を参照しながら説明する。なお、図１及び図２は実施の形態１を、図３及び図４は実施の形態２を、図５及び図６はスピーカーフレームの変形例を夫々示す。
【００１０】
（実施の形態１）
実施の形態１にかかるスピーカー装置Ａは、図１及び図２に示すように、スピーカーフレーム１と、振動板２１と、振動杆２２と、振動手段２３とを備えて構成されている。
【００１１】
スピーカーフレーム１は、一方側の端部が略すり鉢状に形成されると共に他方側の端部が外壁１１ｂで閉塞された略筒状に形成されている。
このスピーカーフレーム１は、その内部に後述する複数の振動板２１が並設されるが、その振動板２１同士間の中央となる所要位置に仕切り壁１１ｃが設けられており、さらに、その仕切り壁１１ｃを挟んで両側に配置される夫々の振動板２１から外部に音声が出力されるように長孔状の音声出力孔１１が複数開口されている。
【００１２】
また、上記した仕切り壁１１ｃには、その中央に後述する振動杆２２を挿通させる挿通孔１１ｄが設けられている。また、略すり鉢状に形成された一方側の端部の傾斜面には後述する第１振動板２１ｂの音抜け用孔１２（空気抜け用孔）が設けられ、略すり鉢状に形成された一方側の端部の端面には、後述する筒部２３ｃが遊挿される開口部１３が設けられている。
【００１３】
振動板２１は、スピーカーフレーム１の略すり鉢状に形成された一方側の端部に配設され、そのスピーカーフレーム１の略すり鉢状の頂部にエッジ２１ａを介して接続された第１振動板２１ｂと、仕切り壁１１ｃ間の中央の位置にエッジ２１ａを介してスピーカーフレーム１内壁に接続された第２振動板２１ｃと、外壁１１ｂと外壁１１ｂ寄りの仕切り壁１１ｃとの間中央にエッジ２１ａを介してスピーカーフレーム１内壁に接続された第３振動板２１ｄとを備えてなる。これらの第１〜第３振動板２１ｂ…は、平坦状に形成されている。
【００１４】
振動杆２２は、第１振動板２１ｂの中央と第２振動板２１ｃの中央とを、また、第２振動板２１ｃの中央と第３振動板２１ｄの中央とを結ぶように、挿通孔１１ｄを介して夫々架設された棒状部材であり、後述する振動手段２３によって起振された第１振動板２１ｂと、第２振動板２１ｃ及び第３振動板２１ｄとが同調するようになっている。
【００１５】
振動手段２３は、拡径された一端側が第１振動板２１ｂのエッジ２１ａと接続されたテーパー部２３ｂとそのテーパー部２３ｂと接続された筒部２３ｃとで構成された振動伝達部２３ａと、テーパー部２３ｂと筒部２３ｃとの交差部から張り出すように設けられ外周部がスピーカーフレーム１に接続されたダンパー２３ｄと、筒部２３ｃの外周に巻回されたボイスコイル２３ｅと、略すり鉢状に形成された一方側のスピーカーフレーム１端面に設けられた開口部１３を中心にして、そのスピーカーフレーム１端面に取り付けられた略円筒状のマグネット２３ｆと、そのマグネット２３ｆの終端面と接続されると共に筒部２３ｃに遊挿された断面視略T字状のポール２３ｇとを備えてなる。
【００１６】
この上記したボイスコイル２３ｅの巻幅Ｌ１は、各振動板２１と仕切り壁１１ｃ（または外壁１１ｂ）との配置間隔の長さＬ２と略同じ、又は、各振動板２１と仕切り壁１１ｃ（または外壁１１ｂ）との配置間隔の長さＬ２の約一割増しの長さ程度となっている。このようにして、仕切り壁１１ｃと干渉するまで振動板２１を振動することを技術的に可能としておくことで、仕切り壁１１ｃと干渉する寸前まで振動板２１の制御を正確に行うことにより、限られたスペースでもって極めて効率の良いスピーカー装置Ａとなる。
【００１７】
以上のように構成された実施の形態１にかかるスピーカー装置Ａは、ボイスコイル２３ｅに電気信号（音声信号）を流すことにより、固定された磁石に対してボイスコイル２３ｅが前後し、それが、振動伝達部２３ａ、第１振動板２１ｂ、振動杆２２、第２振動板２１ｃ、第３振動板２１ｄとに伝播する。
このようにして、第１振動板２１ｂ、第２振動板２１ｃ、第３振動板２１ｄの夫々が前後に振動して音が発生し、発生した音が音声出力孔１１を介して外部に鳴音する。
【００１８】
このように本実施の形態にかかるスピーカー装置Ａは、略筒状に形成されたスピーカーフレーム１内に振動杆２２を介して接続された第１振動板２１ｂ、第２振動板２１ｃ、第３振動板２１ｄを並設し、一端に配置した第１振動板２１ｂに振動手段２３を係合して、この一つの振動手段２３でもって、これら第１振動板２１ｂ、第２振動板２１ｃ、第３振動板２１ｄの各振動板２１を振動させて鳴音するようにしたから、省スペースでもって高音圧を得ることができるようになっている。
【００１９】
しかも、振動手段２３の一構成部材であるボイスコイル２３ｅの巻幅Ｌ１を、各振動板２１と仕切り壁１１ｃ（または外壁１１ｂ）との配置間隔の長さＬ２と略同じ、又は、各振動板２１と仕切り壁１１ｃ（または外壁１１ｂ）との配置間隔の長さＬ２の約一割増しの長さ程度として、仕切り壁１１ｃと干渉するまで振動板２１を振動することを技術的に可能としておくことで、仕切り壁１１ｃと干渉する寸前まで振動板２１の制御を正確に行うことにより、限られたスペースでもって極めて効率の良いスピーカー装置Ａとなっている。
【００２０】
（実施の形態２）
次に実施の形態２にかかるスピーカー装置Ａを説明する。なお、実施の形態１と同じ作用の構成部材は、実施の形態１と同じ符号を用いている。
実施の形態２にかかるスピーカー装置Ａは、図３及び図４に示すように、スピーカーフレーム１と、一対のスピーカー部２とを備えて構成され、スピーカーフレーム１を挟んでその両側にスピーカー部２が対向配置される。
【００２１】
スピーカーフレーム１は、薄板状部材でもって両端部が略すり鉢状に形成されると共に中間部が略筒状に形成されている。このスピーカーフレーム１は、その内部に後述する複数の振動板２１が並設されるが、その振動板２１同士間となる所要位置に夫々の振動板２１から外部に音声が出力されるように長孔状の音声出力孔１１が複数開口されている。
【００２２】
また、略すり鉢状に形成された両端部の傾斜面には後述する夫々の第１振動板２１ｂの音抜け用孔１２（空気抜け用孔）が設けられ、略すり鉢状に形成された両側の端面には、後述する筒部が遊挿される開口部１３が設けられている。
【００２３】
スピーカー部２は、振動板２１と、振動杆２２と、振動手段２３とを備えて構成されている。
【００２４】
振動板２１は、スピーカーフレーム１の略すり鉢状に形成された端部に配設され、そのスピーカーフレーム１の略すり鉢状の頂部にエッジ２１ａを介して接続された左右の第１振動板２１ｂと、その第１振動板２１ｂから所要の間隔をおいてエッジ２１ａを介してスピーカーフレーム１内壁に接続された左右の第２振動板２１ｃと、その第２振動板２１ｃから所要の間隔をおいてエッジ２１ａを介してスピーカーフレーム１内壁に接続された左右の第３振動板２１ｄと備えてなる。
【００２５】
これら左右の第１振動板２１ｂ、左右の第２振動板２１ｃ、左右の第３振動板２１ｄの配置関係は、図示したように、左の第１振動板２１ｂと左の第２振動板２１ｃとの間に右の第３振動板２１ｄが配置され、左の第２振動板２１ｃと左の第３振動板２１ｄとの間に右の第２振動板２１ｃが配置され、そして右端に右の第１振動板２１ｂが配置されており、後述する振動杆２２を挿通させる挿通孔２１ｅが左右の第２振動板２１ｃと左右の第３振動板２１ｄの夫々に設けられている。この挿通孔２１ｅは、可能な限り振動板２１の中心寄りにして一箇所であることが好ましいが、２個所、あるいは、３個所にする場合は、等配となるような配置とすることが好適である（なお、図示は中心寄りにして一箇所である場合を誇張表現して中心からずれた位置に記載してある）。なお、これら左右の第１〜第３振動板２１ｄは、平坦状に形成されている。
【００２６】
振動杆２２は、第１振動板２１ｂと第２振動板２１ｃとを、また、第２振動板２１ｃと第３振動板２１ｄとを結ぶように、対向配置されたスピーカー部２の第２振動板２１ｃと第３振動板２１ｄに形成された挿通孔２１ｅを介して夫々架設された棒状部材であり、後述する振動手段２３によって起振された第１振動板２１ｂと、第２振動板２１ｃ及び第３振動板２１ｄとが同調するようになっている。
【００２７】
振動手段２３は、拡径された一端側が第１振動板２１ｂのエッジ２１ａと接続されたテーパー部とそのテーパー部と接続された筒部とで構成された振動伝達部と、テーパー部と筒部との交差部から張り出すように設けられ外周部がスピーカーフレーム１に接続されたダンパーと、筒部の外周に巻回されたボイスコイルと、略すり鉢状に形成された一方側のスピーカーフレーム１端面に設けられた開口部１３を中心にして、そのスピーカーフレーム１端面に取り付けられた略円筒状のマグネットと、そのマグネットの終端面と接続されると共に筒部に遊挿された断面視略T字状のポールとを備えてなり、スピーカーフレーム１を挟んでその両側に対向配置されている。
【００２８】
この上記したボイスコイルの巻幅Ｌ１は、左の第１振動板２１ｂと右の第３振動板２１ｄとの配置間隔の長さＬ２、左の第２振動板２１ｃと右の第２振動板２１ｃとの配置間隔の長さＬ２、左の第３振動板２１ｄと右の第１振動板２１ｂとの配置間隔の長さＬ２、の略半分の長さ乃至その配置間隔の長さＬ２程度となっている。
【００２９】
以上のように構成された本実施の形態にかかるスピーカー装置Ａは、対向配置された夫々のボイスコイルに電気信号（音声信号）を流すことにより、固定された磁石に対してボイスコイルが前後し、それが、振動伝達部、第１振動板２１ｂ、振動杆２２、第２振動板２１ｃ、第３振動板２１ｄとに伝播する。
このようにして、第１振動板２１ｂ、第２振動板２１ｃ、第３振動板２１ｄの夫々が前後に振動して音が発生し、発生した音が音声出力孔１１を介して外部に鳴音する。
【００３０】
このように本実施の形態にかかるスピーカー装置Ａは、略筒状に形成されたスピーカーフレーム１の両側に、第１振動板２１ｂ、第２振動板２１ｃ、第３振動板２１ｄとそれらの振動板２１を起振させる振動手段２３とを備えてなるスピーカー部２を、左右の振動板２１が交互となるように対向配置し、スピーカーフレーム１に振動板２１同士の間から外部に音声を出力させる音声出力孔１１を設けたから、省スペースでもって高音圧を得ることができるようになっている。
【００３１】
しかも、ボイスコイルの巻幅Ｌ１を、左の第１振動板２１ｂと右の第３振動板２１ｄとの配置間隔の長さＬ２、左の第２振動板２１ｃと右の第２振動板２１ｃとの配置間隔の長さＬ２、左の第３振動板２１ｄと右の第１振動板２１ｂとの配置間隔の長さＬ２、の略半分の長さ乃至その配置間隔の長さＬ２程度として、対向した振動板２１同士と干渉するまで夫々の振動板２１を振動することを技術的に可能としておくことで、振動板２１同士と干渉する寸前まで夫々の振動板２１の制御を正確に行うことにより、限られたスペースでもって極めて効率の良いスピーカー装置Ａとなっている。
【００３２】
また、図５に示すように、音声出力孔１１の縁部１１ａを外方に向かって漸次幅広となる凸湾曲状に形成したり、図６に示すように、スピーカーフレーム１の外周面に、外方に向かって漸次幅広となる傾斜面状部材１４を取り付けることで、音の歪みを低減することができ、更なる高品位のスピーカー装置Ａとすることができる。
【００３３】
以上、具体的な実施の形態について説明したが、本発明は上記実施の形態に限定されず、発明の要旨を変更しない範囲で適宜変更して実施できることは言うまでもない。
【００３４】
例えば、本実施の形態では、振動板２１の数を３つ（実施の形態２では左右夫々３つ）にしているが、２つや、４つ、あるいはそれ以上の振動板２１で構成しても良い。
また、本実施の形態では、スピーカーフレーム１を略円筒状のものを例示しているが、矩形体状のものでも良い。
【図面の簡単な説明】
【００３５】
【図１】実施の形態１にかかるスピーカー装置の側面図である。
【図２】同、縦断側面図である。
【図３】実施の形態２にかかるスピーカー装置の側面図である。
【図４】同、縦断側面図である。
【図５】スピーカーフレームの第１変形例の縦断側面図である。
【図６】スピーカーフレームの第２変形例の縦断側面図である。
【符号の説明】
【００３６】
Ａ  スピーカー装置
１  スピーカーフレーム
１１  音声出力孔
１１ａ  縁部
１１ｂ  外壁
１１ｃ  仕切り壁
１１ｄ  挿通孔（仕切り壁の）
１２  音抜け用孔
１３  開口部
１４  傾斜面状部材
２  スピーカー部
２１  振動板
２１ａ  エッジ
２１ｂ  第１振動板
２１ｃ  第２振動板
２１ｄ  第３振動板
２１ｅ  挿通孔
２２  振動杆
２３  振動手段
２３ａ  振動伝達部
２３ｂ  テーパー部
２３ｃ  筒部
２３ｄ  ダンパー
２３ｅ  ボイスコイル
２３ｆ  マグネット
２３ｇ  ポール
Ｌ１  ボイスコイルの巻幅
Ｌ２  振動板同士または振動板と仕切り壁との配置間隔の長さ
【図１】
2008042615.tif 000003
【図２】
2008042615.tif 000004
【図３】
2008042615.tif 000005
【図４】
2008042615.tif 000006
【図５】
2008042615.tif 000007
【図６】
2008042615.tif 000008